【事件の表示】
　特許第２９２０７３０号「扉錠の鍵穴照明装置」の請求項１、２に係る特許に対する特許異議の申立てについて、次のとおり決定する。
【結　論】
　訂正を認める。
　特許第２９２０７３０号の請求項１、２に係る特許を維持する。
【理　由】
１．手続の経緯
　本件特許第２９２０７３０号に係る出願は、平成６年１２月２９日の出願であって、平成１１年４月３０日に特許の設定登録がなされ、その後、株式会社ユーシンから特許異議の申立てがなされ、取消理由が通知され、その指定期間内である平成１３年７月１６日付けで訂正請求書と特許異議意見書が提出された。
　
２．訂正の適否についての判断
（１）訂正の内容
　
（訂正事項ａ）
　特許請求の範囲の請求項１および２を、
「【請求項１】鍵穴を有し鍵によって回動される内筒を外筒内に嵌装してなるシリンダーの外筒を被覆するカラーの前部開口と、前記シリンダーの外筒の前端面との間に隙間を形成し、この隙間に全体が蓄光部材からなるとともに中央部に貫通孔を有して前部外周を小径部とし後部外周を大径部とした段つきのリング体を嵌装し、該リング体の小径部はカラーの前部開口と内筒の突出部の外周面との間に露出するとともに、リング体の大径部は、該リング体の前面をカラーの裏面に当接し、リング体の後面を前記外筒の前端面に当接してなり、さらに前記リング体はシリンダーから取り替えできるようにしてあることを特徴とする扉錠の鍵穴照明装置。
【請求項２】鍵穴を有し鍵によって回動される内筒を外筒内に嵌装してなるシリンダーの外筒を被覆するノブの前部開口と、前記シリンダーの外筒の前端面との間に隙間を形成し、この隙間に全体が蓄光部材からなるとともに中央部に貫通孔を有して前部外周を小径部とし後部外周を大径部とした段つきのリング体を嵌装し、該リング体の小径部はノブの前部開口と内筒の突出部の外周面との間に露出するとともに、リング体の大径部は、該リング体の前面をノブの裏面に当接し、リング体の後面を前記外筒の前端面に当接してなり、さらに前記リング体はシリンダーから取り替えできるようにしてあることを特徴とする扉錠の鍵穴照明装置。」と訂正する。
　
（訂正事項ｂ）
　段落【００１０】の「鍵穴を有し鍵によって回動される内筒を外筒内に嵌装してなるシリンダーの外筒を被覆するカラーの前部開口と、前記シリンダーの外筒の前部との間に隙間を形成し、この隙間に全体が蓄光部材からなるリング体を嵌装し、該リング体の一部をカラーと内筒との間に露出させてなることを」を、「鍵穴を有し鍵によって回動される内筒を外筒内に嵌装してなるシリンダーの外筒を被覆するカラーの前部開口と、前記シリンダーの外筒の前端面との間に隙間を形成し、この隙間に全体が蓄光部材からなるとともに中央部に貫通孔を有して前部外周を小径部とし後部外周を大径部とした段つきのリング体を嵌装し、該リング体の小径部はカラーの前部開口と内筒の突出部の外周面との間に露出するとともに、リング体の大径部は、該リング体の前面をカラーの裏面に当接し、リング体の後面を前記外筒の前端面に当接してなり、さらに前記リング体はシリンダーから取り替えできるようにしてあることを」と訂正する。
　
（訂正事項ｃ）
　段落【００１２】の「鍵穴を有し鍵によって回動される内筒を外筒内に嵌装してなるシリンダーの外筒を被覆するノブの前部開口と、前記シリンダーの外筒の前部との間に隙間を形成し、この隙間に全体が蓄光部材からなるリング体を嵌装し、該リング体の一部をノブと内筒との間に露出させてなることを」を、「鍵穴を有し鍵によって回動される内筒を外筒内に嵌装してなるシリンダーの外筒を被覆するノブの前部開口と、前記シリンダーの外筒の前端面との間に隙間を形成し、この隙間に全体が蓄光部材からなるとともに中央部に貫通孔を有して前部外周を小径部とし後部外周を大径部とした段つきのリング体を嵌装し、該リング体の小径部はノブの前部開口と内筒の突出部の外周面との間に露出するとともに、リング体の大径部は、該リング体の前面をノブの裏面に当接し、リング体の後面を前記外筒の前端面に当接してなり、さらに前記リング体はシリンダーから取り替えできるようにしてあることを」と訂正する。
　
（訂正事項ｄ）
　段落【００１８】の「前記隙間Ｓに蓄光部材６０からなるリング体」を、「前記隙間Ｓに全体が蓄光部材６０からなるとともに中央部に貫通孔５０ａを有して前部外周を小径部とし後部外周を大径部とした段つきのリング体」と訂正する。
　
（訂正事項ｅ）
　段落【００１９】の最後に、「図１及び図２に示されているように、リング体５０の小径部はカラー１５の前部開口１５ａと内筒１１の突出部１１ｃの外周面１１ｂとの間に露出してある。また、リング体５０の大径部は、該リング体５０の前面をカラー１５の裏面に当接し、リング体５０の後面を前記外筒１３の前端面１３ａに当接している。さらに前記リング体５０はシリンダー１０から取り替えできるようにしてある。」を挿入する。
　
（訂正事項ｆ）
　段落【００２２】の「この隙間Ｓに全体がは蓄光部材６０からなるリング体５０を嵌装し、該該リング体５０の一部をノブ２５と内筒１１との間に露出させてなるものでもよい。」を、「この隙間Ｓに全体が蓄光部材６０からなるとともに中央部に貫通孔５０ａを有して前部外周を小径部とし後部外周を大径部とした段つきのリング体５０を嵌装し、該該リング体５０の小径部はノブの前部開口２５ａと内筒１１の突出部１１ｃの外周面１１ｂとの間に露出するとともに、リング体５０の大径部は、該リング体５０の前面をノブ２５の裏面に当接し、リング体５０の後面を前記外筒１３の前端面１３ａに当接してなり、さらに前記リング体５０はシリンダー１０から取り外すことにより取り替えできるようにしてある。」と訂正する。
　
（訂正事項ｇ）
　段落【００２６】の「前記シリンダーの外筒の前部との間に隙間を形成し、この隙間に全体が蓄光部材からなるリング体を嵌装し、該リング体の一部をカラー又はノブと内筒との間に露出させてあるから、」を、「前記シリンダーの外筒の前端面との間に隙間を形成し、この隙間に全体が蓄光部材からなる段つきのリング体を嵌装し、該リング体の小径部はカラー又はノブの前部開口と内筒の突出部の外周面との間に露出するとともに、リング体の大径部は、該リング体の前面をカラー又はノブのの裏面に当接し、リング体の後面を前記外筒の前端面に当接してなり、さらに前記リング体はシリンダーから取り替えできるようにしてあるから、」と訂正する。
　
（２）訂正の目的の適否、新規事項の有無及び拡張・変更の存否
　上記訂正事項ａに係る訂正は、特許請求の範囲の減縮を目的とするものであり、しかもその訂正は、新規事項の追加に該当せず、実質的に特許請求の範囲を拡張し、又は変更するものではない。
　また、訂正事項ｂ〜ｇに係る訂正は、訂正事項ａに関連し、特許請求の範囲との整合をとるためになされた明りょうでない記載の釈明に該当し、新規事項の追加に該当せず、実質的に特許請求の範囲を拡張し、又は変更するものではない。
　
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．異議の申立てについての判断
（１）本件訂正後発明
　本件訂正明細書の請求項１および２に係る発明は、訂正明細書の特許請求の範囲の請求項１および２に記載された下記のとおりのものである（以下、「訂正後発明１」および「訂正後発明２」という。）。
　
【請求項１】鍵穴を有し鍵によって回動される内筒を外筒内に嵌装してなるシリンダーの外筒を被覆するカラーの前部開口と、前記シリンダーの外筒の前端面との間に隙間を形成し、この隙間に全体が蓄光部材からなるとともに中央部に貫通孔を有して前部外周を小径部とし後部外周を大径部とした段つきのリング体を嵌装し、該リング体の小径部はカラーの前部開口と内筒の突出部の外周面との間に露出するとともに、リング体の大径部は、該リング体の前面をカラーの裏面に当接し、リング体の後面を前記外筒の前端面に当接してなり、さらに前記リング体はシリンダーから取り替えできるようにしてあることを特徴とする扉錠の鍵穴照明装置。
【請求項２】鍵穴を有し鍵によって回動される内筒を外筒内に嵌装してなるシリンダーの外筒を被覆するノブの前部開口と、前記シリンダーの外筒の前端面との間に隙間を形成し、この隙間に全体が蓄光部材からなるとともに中央部に貫通孔を有して前部外周を小径部とし後部外周を大径部とした段つきのリング体を嵌装し、該リング体の小径部はノブの前部開口と内筒の突出部の外周面との間に露出するとともに、リング体の大径部は、該リング体の前面をノブの裏面に当接し、リング体の後面を前記外筒の前端面に当接してなり、さらに前記リング体はシリンダーから取り替えできるようにしてあることを特徴とする扉錠の鍵穴照明装置。
　
（２）申立ての理由の概要
　申立人株式会社ユーシンは、下記の甲第１号証〜甲第４号証を提出して、本件請求項１および２に係る発明の特許は、特許法第２９条第２項の規定に違反してされたものであるから、取り消されるべきものであり、また、その明細書が特許法第３６条第４項に規定する要件を満たしていない特許出願に対してなされたものであり、取り消されるべきものである旨主張している。
甲第１号証：特開昭６０−３０７７５号公報
甲第２号証：実願平４−２７２７号（実開平５−６１３６５号）のＣＤ−ＲＯＭ
甲第３号証：実願昭６２−３２８３５号（実開昭６３−１４０４６７号）のマイクロフィルム
甲第４号証：実願昭５０−３３３６２号（実開昭５１−１１３３８４号）のマイクロフィルム
　
（３）特許法第２９条第２項に関して
（３−１）甲各号証記載の発明
　甲第１号証には、「本発明は、自動車のドア等をロックする錠において夜間等暗所におけるキーの挿入を容易にするために、上記錠のキー孔を照明するキー孔照明装置の改良に関する。」（第１頁左下欄第１６〜１９行）、「キー孔照明装置Ｓはロータケース２２の車外側端部２２ａを覆うカバー２３と、上記ロータケース２２の車外側端部２２ａと上記カバー２３との間に配置される透光部材２４と、・・・光源としての発光ダイオード２５とで構成されている。」（第２頁右下欄第７〜１２行）、「上記ロータ収納部２１にはキー孔面１ａがロータケース２２の車外側開口端に露出するようロータ１が収納されている。上記透光部材２４は、略円錐台状に形成されたアクリル樹脂等の透明な部材であって、その中心部にはキー孔面１ａと略同径の照明孔２９が開設されている。」（第３頁左上欄第７〜１４行）、「上記カバー２３は、上記透光部材２４に対応した略カップ状の金属製部材であり、その中心部に上記透光部材２４の照明孔２９と略同径のキー挿入孔３６が開設される」（第３頁右上欄第１２〜１５行）、「この実施例に係るキー孔照明装置Ｓにおいて、キー孔照明装置を組立てる場合には、・・・発光ダイオード２５を・・・上記透光部材２４の嵌合溝３０に嵌合固定し、この発光ダイオード２５が付設された透光部材を・・・ロータケース２２に組付けると共に、カバー２３を予め組付けておく。」（第３頁左下欄第４〜１１行）と記載され、これらの記載と第４〜７図の記載及び当業者の技術常識からみて、甲第１号証には、キー孔を有しキーによって回動されるロータをロータケース内に嵌装してなるシリンダーのロータケースを被覆するカバーの前部開口と、前記ロータケースの前端面との間に隙間を形成し、この隙間に略円錐台状に形成されたアクリル樹脂等の透明な部材からなり、光源としての発光ダイオードが付設された透光部材を嵌装し、該透光部材をカバーとロータとの間に露出するとともに、透光部材の前面をカバーの裏面に当接し、透光部材の後面を前記ロータケースの前端面に当接してなる自動車のドア等のキー孔照明装置の発明が記載されているものと認められる。
　甲第２号証には、「・・・この図１において、ドアハンドルの基体１１の裏面側には、収容部１２が形成されており、この収容部１２内にドアシリンダーキー１３が配設されている。基体１１には、円形の開口部１４がドアシリンダキー１３の前端部に対応して形成されている。・・・上記ドアシリンダーキー１３のロータケース１５は、ほぼ円筒状をなして・・・いる。上記ロータケース１５内には、キーロータ１６が回動可能に挿入されている。このキーロータ１６には、キー孔１７が形成されている・・・」（段落【０００９】〜【００１０】）、「・・・ロータケース１５の前端部側には、ほぼカップ状をなし前端面部に円形の開口部２２ａを有するケースカバー２２がキーロータ１６の前端部を覆うように設けられている。・・・」（段落【００１２】）、「・・・ケースカバー２２は、光を導く例えばプラスチック製のライトガイド部材から形成されている。そして、ロータケース１５の外周部には、発光手段である例えば発光ダイオード２３がケースカバー２２の後端部に接するように配設されており、発光ダイオード２３から発光された光がケースカバー２２へ供給されるようになっている。・・・」（段落【００１４】）と記載され、これらの記載と第１図の記載及び当業者の技術常識からみて、甲第２号証には、キー孔を有しキーによって回動されるキーロータをロータケース内に嵌装してなるシリンダーのロータケースを被覆する基体の収容部の前部開口と、前記シリンダーのロータケースの前端面との間に隙間を形成し、この隙間にライトガイド部材からなり、発光手段から発光された光が供給されるケースカバーを嵌装し、ケースカバーは収容部の前部開口とキーロータとの間に露出させてなるキー孔周辺の照明装置の発明が記載されているものと認められる。
　甲第３号証には、「第２図は玄関等のドアの把手（６）に装置された錠とこれを開錠する鍵を示す。図において、鍵（１）の外表面に自発光物質と蓄光性物質を注入し密封して形成した発光体（５）を・・・添着すると共に、鍵穴（３）を設けた回動部（４）またはその周囲、・・・に同質の発光体を添着する。」（第３頁第１６行〜第４頁第２行）、「第５図は錠（２）の鍵穴（３）の周囲の形状・・・に合わせた発光体（５）の実施例である。」（第４頁第６〜８行）と記載され、これらの記載と第２図及び第５図の記載並びに当業者の技術常識からみて、甲第３号証には、鍵穴の周囲に配設したリング体（第５図参照）を自発光物質と蓄光性物質を注入して形成した発光体で形成することが記載されているものと認められる。
　甲第４号証には、「第１図及び第２図において、エンジンスイッチ取付本体（１）と、エンジンスイッチ（２）の間に電球（３）を内蔵し、エンジンスイッチの鍵穴（５）の周囲に夜光リング（４）を取付、ドアースイッチ（６）により電球（３）を点灯させ、その光を夜光リング（４）が吸収して、ドアーが閉まって電球（３）が消えても、夜光リング（４）の発光によりドライバーに鍵穴を表示する。」（第２頁第１３〜２０行）と記載されている。
　
（３−２）訂正後発明１に関して
　訂正後発明１と甲第１号証に記載された発明を対比すると、甲第１号証に記載された発明の「キー孔」、「キー」、「ロータ」、「ロータケース」、「カバー」、「透光部材」及び「自動車のドア等のキー孔照明装置」は、各々、訂正後発明１の「鍵穴」、「鍵」、「内筒」、「外筒」、「カラー」、「リング体」及び「扉錠の鍵穴照明装置」に相当するものであるから、両者は、鍵穴を有し鍵によって回動される内筒を外筒内に嵌装してなるシリンダーの外筒を被覆するカラーの前部開口と、前記シリンダーの外筒の前端面との間に隙間を形成し、この隙間にリング体を嵌装し、リング体はカラーの前部開口と内筒の間に露出するとともに、リング体は、該リング体の前面をカラーの裏面に当接し、リング体の後面を前記外筒の前端面に当接してなる扉錠の鍵穴照明装置の点で一致し、以下の点で相違する。
相違点１：リング体は、訂正後発明１では、全体が蓄光部材からなるのに対し、甲第１号証に記載された発明では、アクリル樹脂等の透明部材からなり、光源としての発光ダイオードが付設されている点、
相違点２：訂正後発明１のリング体は、中央部に貫通孔を有して前部外周を小径部とし後部外周を大径部とした段つきの形状を有してなり、リング体の小径部はカラーの前部開口と内筒の突出部の外周面との間に露出するとともに、リング体の大径部は、該リング体の前面をカラーの裏面に当接し、リング体の後面を外筒の前端面に当接しているのに対し、甲第１号証に記載された発明のリング体は、略円錐台状に形成されている点、
相違点３：訂正後発明１は、リング体がシリンダーから取り替えできるようにしてあるのに対し、甲第１号証に記載された発明では、この点について特に考慮されていない点。
　上記相違点について検討すると、上記相違点２における訂正後発明１の構成は、甲第２号証〜甲第４号証の何れにも記載されておらず、又、示唆するところもないから、上記相違点１および３について検討するまでもなく、訂正後発明１が甲第１号証〜甲第４号証に記載された発明に基いて当業者が容易に発明をすることができたものとはいえない。
　
（３−３）訂正後発明２に関して
　訂正後発明２は、訂正後発明１の「カラー」を「ノブ」で置換したものであり、訂正後発明２と甲第１号証に記載された発明を対比すると、この点に加えて、上記「（３−２）訂正後発明１に関して」で述べたと同様の上記相違点１〜３の点で相違する。しかしながら先に検討したように、上記相違点２における訂正後発明２の構成は甲第２号証〜甲第４号証の何れにも記載されておらず、又、示唆するところもないから、上記相違点１および３について検討するまでもなく、訂正後発明２が甲第１号証〜甲第４号証に記載された発明に基いて当業者が容易に発明をすることができたものとはいえない。
　
（４）特許法第３６条第４項に関して
　異議申立人は、「蓄光部材を簡単に取り替えできるようにするには、シリンダーからカラーまたはノブが容易に取り外せる構成になっていることが必要条件となるが、このような構成についての記載は請求項１、２のいずれにもなく、しかも本件明細書中の発明の詳細な説明においても記載または示唆も一切なされていない。」（異議申立書第１２頁第２８〜３２行）と述べているが、「図１において、錠ケース２は周知の如く錠ケース本体とその蓋とで構成されており、リング体を取り替えるときには、錠ケースの裏側からビスを外してから蓋を外し、次に内筒１１及び外筒１３を取り外すことにより、リング体を簡単に取り替えることができる」（特許異議意見書第４頁第１５〜１８行）ものであり、また、訂正後の請求項１および２には、「・・・カラー（ノブ）の前部開口と、前記シリンダーの外筒の前端面との間に隙間を形成し、この隙間に・・・前部外周を小径部とし後部外周を大径部とした段つきのリング体を嵌装し、該リング体の小径部はカラー（ノブ）の前部開口と内筒の突出部の外周面との間に露出するとともに、リング体の大径部は、該リング体の前面をカラー（ノブ）の裏面に当接し、リング体の後面を前記外筒の前端面に当接してなり・・・」という構成が記載されており、このように構成することで、蓄光部材を簡単に取り替えできるようになされているものであるから、異議申立人の主張には理由がない。
　
４．むすび
　以上のとおりであるから、異議申立ての理由及び証拠によっては、本件訂正後発明１および２に係る特許を取り消すことはできない。
　また、他に本件訂正後発明１および２に係る特許を取り消すべき理由を発見しない。
　したがって、本件訂正後発明１および２についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年８月１５日（２００１．８．１５）
【訂正の要旨】
訂正の要旨
（訂正事項ａ）
　特許請求の範囲の請求項１および２を、
「【請求項１】鍵穴を有し鍵によって回動される内筒を外筒内に嵌装してなるシリンダーの外筒を被覆するカラーの前部開口と、前記シリンダーの外筒の前端面との間に隙間を形成し、この隙間に全体が蓄光部材からなるとともに中央部に貫通孔を有して前部外周を小径部とし後部外周を大径部とした段つきのリング体を嵌装し、該リング体の小径部はカラーの前部開口と内筒の突出部の外周面との間に露出するとともに、リング体の大径部は、該リング体の前面をカラーの裏面に当接し、リング体の後面を前記外筒の前端面に当接してなり、さらに前記リング体はシリンダーから取り替えできるようにしてあることを特徴とする扉錠の鍵穴照明装置。
　【請求項２】鍵穴を有し鍵によって回動される内筒を外筒内に嵌装してなるシリンダーの外筒を被覆するノブの前部開口と、前記シリンダーの外筒の前端面との間に隙間を形成し、この隙間に全体が蓄光部材からなるとともに中央部に貫通孔を有して前部外周を小径部とし後部外周を大径部とした段つきのリング体を嵌装し、該リング体の小径部はノブの前部開口と内筒の突出部の外周面との間に露出するとともに、リング体の大径部は、該リング体の前面をノブの裏面に当接し、リング体の後面を前記外筒の前端面に当接してなり、さらに前記リング体はシリンダーから取り替えできるようにしてあることを特徴とする扉錠の鍵穴照明装置。」と訂正する。
（訂正事項ｂ）
　段落【００１０】の「鍵穴を有し鍵によって回動される内筒を外筒内に嵌装してなるシリンダーの外筒を被覆するカラーの前部開口と、前記シリンダーの外筒の前部との間に隙間を形成し、この隙間に全体が蓄光部材からなるリング体を嵌装し、該リング体の一部をカラーと内筒との間に露出させてなることを」を、「鍵穴を有し鍵によって回動される内筒を外筒内に嵌装してなるシリンダーの外筒を被覆するカラーの前部開口と、前記シリンダーの外筒の前端面との間に隙間を形成し、この隙間に全体が蓄光部材からなるとともに中央部に貫通孔を有して前部外周を小径部とし後部外周を大径部とした段つきのリング体を嵌装し、該リング体の小径部はカラーの前部開口と内筒の突出部の外周面との間に露出するとともに、リング体の大径部は、該リング体の前面をカラーの裏面に当接し、リング体の後面を前記外筒の前端面に当接してなり、さらに前記リング体はシリンダーから取り替えできるようにしてあることを」と訂正する。
（訂正事項ｃ）
　段落【００１２】の「鍵穴を有し鍵によって回動される内筒を外筒内に嵌装してなるシリンダーの外筒を被覆するノブの前部開口と、前記シリンダーの外筒の前部との間に隙間を形成し、この隙間に全体が蓄光部材からなるリング体を嵌装し、該リング体の一部をノブと内筒との間に露出させてなることを」を、「鍵穴を有し鍵によって回動される内筒を外筒内に嵌装してなるシリンダーの外筒を被覆するノブの前部開口と、前記シリンダーの外筒の前端面との間に隙間を形成し、この隙間に全体が蓄光部材からなるとともに中央部に貫通孔を有して前部外周を小径部とし後部外周を大径部とした段つきのリング体を嵌装し、該リング体の小径部はノブの前部開口と内筒の突出部の外周面との間に露出するとともに、リング体の大径部は、該リング体の前面をノブの裏面に当接し、リング体の後面を前記外筒の前端面に当接してなり、さらに前記リング体はシリンダーから取り替えできるようにしてあることを」と訂正する。
（訂正事項ｄ）
　段落【００１８】の「前記隙間Ｓに蓄光部材６０からなるリング体」を、「前記隙間Ｓに全体が蓄光部材６０からなるとともに中央部に貫通孔５０ａを有して前部外周を小径部とし後部外周を大径部とした段つきのリング体」と訂正する。
（訂正事項ｅ）
　段落【００１９】の最後に、「図１及び図２に示されているように、リング体５０の小径部はカラー１５の前部開口１５ａと内筒１１の突出部１１ｃの外周面１１ｂとの間に露出してある。また、リング体５０の大径部は、該リング体５０の前面をカラー１５の裏面に当接し、リング体５０の後面を前記外筒１３の前端面１３ａに当接している。さらに前記リング体５０はシリンダー１０から取り替えできるようにしてある。」を挿入する。
（訂正事項ｆ）
　段落【００２２】の「この隙間Ｓに全体がは蓄光部材６０からなるリング体５０を嵌装し、該該リング体５０の一部をノブ２５と内筒１１との間に露出させてなるものでもよい。」を、「この隙間Ｓに全体が蓄光部材６０からなるとともに中央部に貫通孔５０ａを有して前部外周を小径部とし後部外周を大径部とした段つきのリング体５０を嵌装し、該該リング体５０の小径部はノブの前部開口２５ａと内筒１１の突出部１１ｃの外周面１１ｂとの間に露出するとともに、リング体５０の大径部は、該リング体５０の前面をノブ２５の裏面に当接し、リング体５０の後面を前記外筒１３の前端面１３ａに当接してなり、さらに前記リング体５０はシリンダー１０から取り外すことにより取り替えできるようにしてある。」と訂正する。
（訂正事項ｇ）
　段落【００２６】の「前記シリンダーの外筒の前部との間に隙間を形成し、この隙間に全体が蓄光部材からなるリング体を嵌装し、該リング体の一部をカラー又はノブと内筒との間に露出させてあるから、」を、「前記シリンダーの外筒の前端面との間に隙間を形成し、この隙間に全体が蓄光部材からなる段つきのリング体を嵌装し、該リング体の小径部はカラー又はノブの前部開口と内筒の突出部の外周面との間に露出するとともに、リング体の大径部は、該リング体の前面をカラー又はノブのの裏面に当接し、リング体の後面を前記外筒の前端面に当接してなり、さらに前記リング体はシリンダーから取り替えできるようにしてあるから、」と訂正する。
（５４）【発明の名称】
扉錠の鍵穴照明装置
（５７）【特許請求の範囲】
　【請求項１】　鍵穴を有し鍵によって回動される内篇を外筒内に嵌装してなるシリンダーの外筒を被覆するカラーの前部開口と、前記シリンダーの外筒の前端面との間に隙間を形成し、この隙間に全体が蓄光部材からなる
とともに中央部に貫通孔を有して前部外周を小径部とし後部外周を大径部とした段つきの
小径
は
の前部開口
の突出部の外周面
するとともに、リング体の大径部は、該リング体の前面をカラーの裏面に当接し、リングの体の後面を前記外筒の前端面に当接してなり、さらに前記リング体はシリンダーから取り替えできるようにしてあることを
　【請求項２】　鍵穴を有し鍵によって回動される内筒を外筒内に嵌装してなるシリンダーの外筒を被覆するノブの前部開口と、前記シリンダーの外筒の前
端面
とともに中央部に貫通孔を有して前部外周を小径部とし後部外周を大径部とした段つきの
小径
は
の前部開口
の突出部の外周面
するとともに、リング体の大径部は、該リング体の前面をノブの裏面に当接し、リング体の後面を前記外筒の前端面に当接してなり、さらに前記リング体はシリンダーから取り替えできるようにしてあることを
【発明の詳細な説明】
　【０００１】
　【産業上の利用分野】
　本発明は、一般の家屋などに取り付けてある扉錠の鍵穴の位置が、夜間や暗い所で判明できるようにした鍵穴の照明装置に関する。
　【０００２】
　【従来の技術】
　従来、この種の扉錠の鍵穴照明装置としては、（イ）実開昭５８ー６４７５６号公報記載のもの、（ロ）実公平６ー２０８５７号公報記載のものが知られている。
　【０００３】
　上記（イ）記載のものは、玄関入口ドアの鍵穴のついた外側ノブのロックカム作動穴側内部に豆ランプを設置して配線し、外側ノブの内部に豆ランプを点滅するためのスイッチボタンを設けたものである。
　【０００４】
　上記（ロ）記載のものは、豆ランプや電池及びランプ回路等からなる照明器具をシリンダーの後方に設けるとともに、シリンダーの後端面にスイッチと該スイッチに対向する入力接点を設けて、シリンダーの先端面を指で押すことによりスイッチが入力され、ランプ回路が閉となり、前記ランプ回路にはタイマーを組み込んであり、一定時間に亘って上記照明器具を点灯させることができるように構成してなるものである。
　【０００５】
　そのほか、実開昭５４ー７４６９０号公報記載のように鍵穴の近傍に夜光物質を設けたものも知られている。
　【０００６】
　【発明が解決しようとする課題】
　しかるに、▲１▼　上記従来例（イ）及び（ロ）のいずれも、外側ノブまたはシリンダーに豆ランプやスイッチ機構及びコード（ランプ回路）を組み込まねばならないため、組付け作業が煩雑で手間取る欠点がある。
　【０００７】
　▲２▼　また、両（イ）、（ロ）のいずれも、上述の豆ランプ、スイッチ機構及びコード（ランプ回路）を必須とするばかりか、さらに（ロ）の場合にはタイマーも必要とすることから、多数の部品を要し、その分生産コストが高価となる。
　【０００８】
　▲３▼　さらに、（イ）では外側ノブに設けたスイッチボタンを手指で押圧しなければランプが点灯されないし、（ロ）ではシリンダーの先端を指で押してスイッチ機構をオンとしなければランプが点灯されない。すなわち、この（イ）、（ロ）のものは、ランプの点灯のために手でスイッチのオン動作を加えなければならないという欠点がある。
　【０００９】
　本発明は、上記従来の欠点を解消するために案出したものであって、簡単な構成で組付け作業も迅速にでき、生産コストが安価で、蓄光部材からなるリング体の取り替えが容易であり、電源の供給も不要で、また手指による点灯操作も必要としない扉錠の鍵穴照明装置を提供することを目的とする。
　【００１０】
　【課題を解決するための手段】
　上記課題を解決するため、本発明の扉錠の鍵穴照明装置は、鍵穴を有し鍵によって回動される内筒を外筒内に嵌装してなるシリンダーの外筒を被覆するカラーの前部開口と、前記シリンダーの外筒の前端面との間に隙間を形成し、この隙間に全体が蓄光部材からなる
とともに中央部に貫通孔を有して前部外周を小径部とし後部外周を大径部とした段つきの
小径
は
の前部開口
の突出部の外周面
するとともに、リング体の大径部は、該リング体の前面をカラーの裏面に当接し、リング体の後面を前記外筒の前端面に当接してなり、さらに前記リング体はシリンダーから取り替えできるようにしてあることを
　【００１１】
　蓄光部材としては、夜光塗料や発光性のビーズ粒子のような材料自身または樹脂などに混入させたものからなり、蓄光部材が光を吸収し、暗闇の中で発光して少なくともシリンダーの鍵穴を照らすことのできる光度を有するものであればよい。この場合、リング体は全体を蓄光部材で形成する。
　【００１２】
　また、本発明は、鍵穴を有し鍵によって回動される内筒を外筒内に嵌装してなるシリンダーの外筒を被覆するノブの前部開口と、前記シリンダーの外筒の前
端面
とともに中央部に貫通孔を有して前記外周を小径部とし後部外周を大径部とした段つきの
小径
は
の前部開口
の突出部の外周面
するとともに、リング体の大径部は、該リング体の前面をノブの裏面に当接し、リング体の後面を前記外筒の前端面に当接してなり、さらに前記リング体はシリンダーから取り替えできるようにしてあることを
　【００１３】
　【作用】
　夜間等の暗闇の中においても、蓄光部材が昼間の太陽光や何らかの光を吸収し、その吸収した光を自然に発光して鍵穴又は鍵穴周辺部を直接に照らすので、鍵穴の位置を容易に確認でき鍵穴に鍵を容易に抜き差しできる。
　【００１４】
　【第１実施例】
　本発明の第１実施例を図１及び図２に基づいて以下に説明する。
　図１はピンタンブラーを省略した室外側シリンダーを扉に取り付けた状態を示した縦断面図、図２は図１におけるリング体の断面図である。
　【００１５】
　図１において、１は扉に取り付けた扉錠であって、この扉錠１は、錠杆と該錠杆を出没するためのハブやカムやバネ（図示せず）等の出没操作機構とを内装した錠ケース２と、室内側に設けたつまみつきのサムターンと、室外側に設けたシリンダー１０とを主要構成要素としている。なお、図１で、ハブの歯やカムの歯などは省略されている。
　【００１６】
　前記室外側のシリンダー１０は、公知の如く、先端に鍵穴１２と後端にカムを有する内筒１１と、内筒１１を回転可能に嵌挿する嵌挿孔１４を有する外筒１３と、外筒１３の外周を被覆する如く取り付けたカラー１５とからなっている。また、内筒１１と外筒１３とには、複数の下ピン孔１６又は上ピン孔１７が両者が連通するように形成されており、下ピン孔１６に下ピンが上ピン孔１７に上ピンがそれぞれ挿入され、鍵を鍵穴１２に差し込んでいない状態、又は鍵が適合していない状態のときには、ピンバネの付勢力によって上下両ピンの境界線は、内筒１１と外筒１３とのシャーラインと不一致であるため、内筒１１を動かすことができない。鍵穴１２に適合する鍵を挿入した場合には、上下両ピンの境界線と上記シャーラインとが一致するため内筒１１を回動することができ、錠杆を出没して施解錠できる。
　【００１７】
　錠ケースの室内側に設けたサムターン（図示せず）は周知の作用を行なうものであって、室内側からつまみを把持して内筒１１を回動して施解錠する。
　【００１８】
　この第１実施例では、シリンダー１０の外筒１３を被覆するカラー１５の前部開口１５ａと、前記外筒１３
の
全体が
とともに中央部に貫通孔５０ａを有して前部外周を小径部とし後部外周を大径部とした段つきの
　【００１９】
　すなわち、シリンダー１０の外筒１３の嵌挿孔１４に挿入された内筒１１の前端部を、外筒１３の前端面１３ａより前方へ突出して突出部１１ｃを形成し、この突出部１１ｃの外周面１１ｂから外筒１３の外周面１３ｂまでをカラー１５で被覆する。また、前記カラー１５の前部開口１５ａと内筒１１の突出部１１ｃの外周面１１ｂと外筒１３の前端面１３ａとの間の隙間Ｓにはリング体５０を介設する。このリング体５０は全体が蓄光部材６０で形成してある（図２参照）。図１及び図２に示されているように、リング体５０の
小径
は
の前部開口１５ａと
の突出部１１ｃの外周面１１ｂ
、リング体５０の大径部は、該リング体５０の前面をカラー１５の裏面に当接し、リング体５０の後面を前記外筒１３の前端面１３ａに当接している。さらに前記リング体５０はシリンダー１０から取り替えできるようにしてある
　【００２０】
　図１において内筒１１の突出部１１ｃには外周の一部に鎖線で示す如く鍔部１１ｄを突設し、該鍔部１１ｄを外筒１３の前端面１３ａに当接させるようにして、鍵穴１２に鍵を差し込んだ時に内筒１１が室内方向へ抜けないようにした方がよい。
　なお、５０ａは内筒１１を挿通するリング体５０に形成した貫通孔である。図１で２１はビスである。
　【００２１】
　蓄光部材６０よりなるリング体５０を設ける構造としては、上記図１〜図２の構造に限らない。例えば、図３に示す如く構成することもできる。すなわち、この図３のものは、カラー１５の前部開口１５ａと外筒１３の前端面１３ａとの間に隙間Ｓを形成するとともに、前記隙間Ｓに全体が蓄光部材６０からなるリング体５０を嵌装し、カラー１５の前部開口１５ａと内筒１１との間に、リング体５０の一部と内筒１１の突出部１１ｃとを露出させてなる点では、図１のものと共通する。しかしながら、前記外筒１３の前端面１３ａと外周面１３ｂの前部の一部分とをカラー１５で被覆している点と、前記内筒１１の突出部１１ｃの外周には後部から前端面１１ａにわたる環状の鍔部１１ｅを形成して、鍵穴１２に鍵を差し込んだ時に内筒１１が室内方向へ抜けないようにしている点で、図１のものと異なっている。
　【００２２】　
　【他の実施例】
　上記実施例で使用される扉錠は種類や構造は限定されず任意である。例えば、図４の如き構成も採用することができる。すなわち、図３のカラー１５に代えてシリンダー１０の外筒１３を被覆するノブ２５を設け、このノブ２５の前部開口２５ａと内筒１１の突出部１１ｃの外周面１１ｂと外筒１３の前端面１３ａとの間に隙間Ｓを形成し、この隙間Ｓに全体が蓄光部材６０からなる
とともに中央部に貫通孔５０ａを有して前部外周を小径部とし後部外周を大径部とした段つきの
小径
は
の前部開口
の突出部
の外周面
するとともに、リング体
の大径部は、該リング体
の前記をノブ
の裏面に当接し、リング体
の後面を前記外筒１３の前端面１３ａに当接してなり、さらに前記リング体
はシリンダー
０から取り外すことにより取り替えできるようにしてある
　【００２３】
　前記各実施例によれば、（１）　リング体の全体を蓄光部材で形成してなるから、夜間等の暗闇の中でも、蓄光部材が昼間の太陽光や何らかの光を吸収し、その吸収した光を自然に発光して鍵穴を直接に照らすので、鍵穴に鍵を容易に抜き差しできる。換言すれば、暗闇の中で蓄光部材の発光により何らの操作を介することなく鍵穴部分を確実に照明することができる。
　【００２４】
　（２）　また、従来例の如き、電源も必要なく、豆ランプや電池やスイッチ機構及びコード（ランプ回路）或はタイマーなどの多数の部品が不要のため、その分生産コストが安価となるし、上記多数の部品を組付ける作業が不要で組付け作業も迅速にできる。また、蓄光部材の発光効力は半永久的であり、経年変化などによるメンテナンスも不要であるなど効果は多大である。
　【００２５】
　（３）　さらに、従来例のものは、ランプ点灯のために手指によりスイッチをオンにする手動操作が必要であるが、本発明の各実施例のものではこのような手動操作を不要とする。
　【００２６】
　【発明の効果】
　鍵穴を有し鍵によって回動される内筒を外筒内に嵌装してなるシリンダーの外筒を被覆するカラー又はノブのの前部開口と、前記シリンダーの外筒の
前端面と
段つきの
小径
は
の前部開口
の突出部の外周面
するとともに、リング体の大径部は、該リング体の前面をカラー又はノブのの裏面に当接し、リング体の後面を前記外筒の前端面に当接してなり、さらに前記リング体はシリンダーから取り替えできるようにしてあるから、
【図面の簡単な説明】
　【図１】
　第１実施例の室外側シリンダーを扉に取り付けた状態の断面図である。
　【図２】
　図１におけるリング体の断面図である。
　【図３】
　蓄光部材からなるリング体の他の実施例の要部断面図である。
　【図４】
　蓄光部材からなるリング体の更に他の実施例の要部断面図である。
　【符号の説明】
　１　　　扉錠
　２　　　錠ケース
　１０　　シリンダー
　１１　　内筒
　１２　　鍵穴
　１３　　外筒
　１５　　カラー
　２５　　ノブ
　５０　　リング体
　６０　　蓄光部材